(57)【特許請求の範囲】
【請求項１】
画像を表示可能な表示部と、
前記表示部に表示されている画像に対する選択操作を受け付ける入力部と、
制御部と、
を備え、
前記制御部は、
特定の機能をその実行に必要な設定情報に従って実行させる第１のショートカットを登録する第１の登録処理と、
前記入力部を介して、前記第１の登録処理により登録されている複数の前記第１のショートカットの選択操作を受け付ける複数選択処理と、
前記複数選択処理により選択された前記複数の第１のショートカットを実行させるための第２のショートカットを登録する第２の登録処理と、
前記第２のショートカットを示す第２のショートカット画像と、その第２のショートカットによって実行される前記複数の第１のショートカットの各々を示す複数の第１のショートカット画像とを前記表示部に表示させる表示処理であって、前記第２のショートカット画像に対応した前記第２のショートカットは前記複数の第１のショートカット画像の各々に対応した前記複数の第１のショートカットを実行させるためのものであること、が視覚的に分かる態様で表示させる、表示処理と、
前記表示処理により表示されている前記第１のショートカット画像及び前記第２のショートカット画像のうち何れかが前記入力部を介して選択された場合に、その選択された画像に対応したショートカットを実行するショートカット実行処理と、
を実行することを特徴とする機能実行装置。
【請求項２】
請求項１に記載の機能実行装置であって、
前記制御部は、前記表示処理において、前記第２のショートカット画像については、特定の領域を示す領域画像を表示させ、その領域画像の中に、前記第２のショートカット画像と、対応する複数の前記第１のショートカット画像とを表示させる
ことを特徴とする機能実行装置。
【請求項３】
請求項１又は請求項２に記載の機能実行装置であって、
前記制御部は、前記複数選択処理として、
前記第１の登録処理によって登録されている複数の前記第１のショートカット毎の前記第１のショートカット画像を前記表示部に表示させる第１の表示処理と、
前記第１の表示処理により表示されている複数の前記第１のショートカット画像のうち前記入力部を介して選択された何れか１つに対応した前記第１のショートカットを第１の結合対象に設定する第１の設定処理と、
前記第１の結合対象の前記設定情報と特定の関係にある前記設定情報を有する他の前記第１のショートカットである特定ショートカットを抽出する抽出処理と、
前記抽出処理により抽出された前記特定ショートカットの中から少なくとも１つを選択させるための選択用画面を前記表示部に表示させる第２の表示処理と、
前記第２の表示処理により表示されている前記選択用画面に対し、前記入力部を介して、少なくとも１つの前記特定ショートカットの選択操作を受け付ける特定選択処理と、
前記特定選択処理により選択された前記少なくとも１つの前記特定ショートカットを第２の結合対象に設定する第２の設定処理と、
を実行し、
前記第２の登録処理では、前記第１の結合対象と前記少なくとも１つの前記第２の結合対象とを実行させるための１つの前記第２のショートカットを登録する
ことを特徴とする機能実行装置。
【請求項４】
請求項３に記載の機能実行装置であって、
前記設定情報には、対応する前記特定の機能の実行に必要な複数種類の設定項目の設定値が含まれており、
前記特定の関係は、互いに同じ設定値が設定されている前記設定項目が特定の数以上あること、である
ことを特徴とする機能実行装置。
【請求項５】
請求項４に記載の機能実行装置であって、
前記特定の関係は、前記複数種類の設定項目のうち特定の種類の複数の設定項目において、それら各設定項目の各設定値が同じであること、である
ことを特徴とする機能実行装置。
【請求項６】
請求項５に記載の機能実行装置であって、
前記第１の結合対象は、データを特定の記憶部に記憶する記憶処理及びデータを特定の送信先に送信する送信処理のうち少なくとも一方を有しており、
前記特定の関係は、前記第１の結合対象と同じ前記記憶部を記憶対象とする前記記憶処理及び前記第１の結合対象と同じ前記送信先を送信対象とする前記送信処理のうち少なくとも一方を有していること、である
ことを特徴とする機能実行装置。
【請求項７】
請求項１〜請求項６の何れか１項に記載の機能実行装置であって、
前記設定情報には、前記特定の機能の実行に必要な複数種類の設定項目の設定値が含まれており、
前記制御部は、
前記第２の登録処理により登録されている前記第２のショートカットの前記設定情報の変更要求を前記入力部を介して受け付ける変更要求処理と、
前記変更要求処理により前記変更要求が受け付けられた場合に、その変更要求対象の前記第２のショートカットを構成する複数の前記第１のショートカットの前記設定情報を前記表示部に表示させる処理であって、各々の前記設定情報の中に互いに同じ設定項目が含まれている場合には、その同じ設定項目である同項目の設定値については同時に前記表示部に表示させる設定情報表示処理と、
前記設定情報表示処理により各前記設定情報が表示された後、前記入力部を介した特定の変更操作に応じて前記設定情報を変更する変更処理と、
を実行することを特徴とする機能実行装置。
【請求項８】
請求項７に記載の機能実行装置であって、
前記設定情報表示処理は、
前記同項目毎に、前記複数の第１のショートカット毎のその同項目の設定値を表示させるための個別設定キー、及び前記複数の第１のショートカット間で同じ設定値が設定されている場合にその設定値を表示させるための共通設定キーを、前記表示部に表示させるキー表示処理と、
何れかの前記第１のショートカットに対応した前記個別設定キーが前記入力部を介して選択された場合に、少なくともその個別設定キーに対応した前記第１のショートカットにおけるその個別設定キーに対応した前記設定値の変更を受け付けるための変更用画面を表示させる変更用表示処理と、
を有し、
前記変更処理では、前記個別設定キーに対応した前記設定値を、前記変更用画面に対する前記変更操作によって指定された値に設定する
ことを特徴とする機能実行装置。
【請求項９】
請求項８に記載の機能実行装置であって、
前記設定情報表示処理は、
何れかの前記同項目の前記共通設定キーが前記入力部を介して選択された場合に、前記複数の第１のショートカットにおけるその同項目の設定値を同じ共通の値に設定するための前記変更用画面を表示させる共通用表示処理、
を有し、
前記変更処理では、前記複数の第１のショートカットにおける前記同項目の設定値を、前記変更用画面に対する前記変更操作によって指定された値に設定する
ことを特徴とする機能実行装置。
【請求項１０】
請求項８又は請求項９に記載の機能実行装置であって、
前記変更用画面には、変更対象として選択された前記同項目において設定可能な複数の設定値が表示され、且つ、その設定値毎に、その設定値を選択させるための、前記複数の第１のショートカット毎の個別選択キー、及び前記複数の第１のショートカットに対してその設定値を選択させるための共通選択キーが表示され、
前記変更処理は、
前記変更用画面に表示されている前記複数の設定値のうち特定の設定値における前記個別選択キーが前記入力部を介して選択された場合に、その個別選択キーに対応した前記第１のショートカットに対してその特定の設定値を確定させる個別確定処理と、
前記変更用画面に表示されている前記複数の設定値のうち特定の設定値における前記共通選択キーが前記入力部を介して選択された場合に、前記複数の第１のショートカットに対してその特定の設定値を確定させる共通確定処理と、
を有することを特徴とする機能実行装置。
【請求項１１】
特定の機能をその実行に必要な設定情報に従って実行させる第１のショートカットを登録する第１の登録手順と、
前記第１の登録手順により登録されている複数の前記第１のショートカットの選択操作を受け付ける複数選択手順と、
前記複数選択手順により選択された前記複数の第１のショートカットを実行させるための第２のショートカットを登録する第２の登録手順と、
前記第２のショートカットを示す第２のショートカット画像と、その第２のショートカットによって実行される前記複数の第１のショートカットの各々を示す複数の第１のショートカット画像とを表示させる表示手順であって、前記第２のショートカット画像に対応した前記第２のショートカットは前記複数の第１のショートカット画像の各々に対応した前記複数の第１のショートカットを実行させるためのものであること、が視覚的に分かる態様で表示させる、表示手順と、
前記表示手順によって表示されている前記第１のショートカット画像及び前記第２のショートカット画像のうち何れかが選択された場合に、その選択された画像に対応したショートカットを実行するショートカット実行手順と、
を有することを特徴とする機能実行方法。
【請求項１２】
画像を表示可能な表示部と、
前記表示部に表示されている画像に対する選択操作を受け付ける入力部と、
プログラムに従った処理を実行可能な制御部と、
を備えた情報処理装置における、前記制御部に実行させるための機能実行プログラムが記憶された、前記制御部が読み取り可能な記憶媒体であって、
前記機能実行プログラムは、前記制御部に、
特定の機能をその実行に必要な設定情報に従って実行させる第１のショートカットを登録する第１の登録処理と、
前記入力部を介して、前記第１の登録処理により登録されている複数の前記第１のショートカットの選択操作を受け付ける複数選択処理と、
前記複数選択処理により選択された前記複数の第１のショートカットを実行させるための第２のショートカットを登録する第２の登録処理と、
前記第２のショートカットを示す第２のショートカット画像と、その第２のショートカットによって実行される前記複数の第１のショートカットの各々を示す複数の第１のショートカット画像とを前記表示部に表示させる表示処理であって、前記第２のショートカット画像に対応した前記第２のショートカットは前記複数の第１のショートカット画像の各々に対応した前記複数の第１のショートカットを実行させるためのものであること、が視覚的に分かる態様で表示させる、表示処理と、
前記表示処理により表示されている前記第１のショートカット画像及び前記第２のショートカット画像のうち何れかが前記入力部を介して選択された場合に、その選択された画像に対応したショートカットを実行するショートカット実行処理と、
を実行させるためのプログラムであることを特徴とする記憶媒体。
【発明の詳細な説明】
【技術分野】
【０００１】
本発明は、複数の機能を実行可能な機能実行装置、機能実行方法、及び特定の機能を実行させるためのプログラムが記憶された記憶媒体に関する。
【背景技術】
【０００２】
複数の機能を実行させることが可能な各種の機能実行装置が提供されている。このような機能実行装置として、特定の設定情報に基づく特定の機能をショートカットとして登録しておき、簡単な操作（例えばショートカットキーの押下）によってその登録したショートカットを実行させることが可能な機能実行装置がある（例えば、特許文献１参照。）。
【０００３】
繰り返し使う可能性のある機能をショートカットとして登録しておくことで、その機能を容易且つ迅速に実行させることができる。
【先行技術文献】
【特許文献】
【０００４】
【特許文献１】特開２００９−１０４３４０号公報
【発明の概要】
【発明が解決しようとする課題】
【０００５】
ショートカットの利用形態として、複数のショートカットのうち何れか１つを選択して実行させる第１の利用形態がある。この第１の利用形態は、ショートカットの利用形態としてごく一般的な利用形態である。この第１の利用形態に加え、例えば、特定の複数のショートカットについて、それらを順次実行させる第２の利用形態も生じ得る。第２の利用形態としては、例えば、原稿のスキャン機能を備えた機能実行装置において、同じ原稿のスキャン結果を異なる複数の送信先へ送信するという利用形態が考えられる。また例えば、ある一定の期間中に、特定の複数のショートカットを対象として、第１の利用形態と第２の利用形態とを不規則的に生じさせること（以下「第３の利用形態」とも称す）も生じ得る。
【０００６】
上述した各種の利用形態の何れにおいても、同等レベルの使い勝手の良さをユーザに提供することが望まれるが、従来の機能実行装置ではそれが実現されていない。特に、第３の利用形態においては、ユーザは、煩雑な操作を強いられてしまう可能性がある。
【０００７】
本発明は上記課題に鑑みなされたものであり、複数のショートカットを、まとめて或いは何れか１つを単独で実行させる際の、ユーザの使い勝手を向上させることを目的とする。
【課題を解決するための手段】
【０００８】
上記課題を解決するためになされた本発明の機能実行装置は、画像を表示可能な表示部と、表示部に表示されている画像に対する選択操作を受け付ける入力部と、制御部とを備える。制御部は、第１の登録処理と、複数選択処理と、第２の登録処理と、表示処理と、ショートカット実行処理と、を実行する。
【０００９】
第１の登録処理は、特定の機能をその実行に必要な設定情報に従って実行させる第１のショートカットを登録する処理である。複数選択処理は、入力部を介して、第１の登録処理により登録されている複数の第１のショートカットの選択操作を受け付ける処理である。第２の登録処理は、複数選択処理により選択された複数の第１のショートカットを実行
させるための第２のショートカットを登録する処理である。表示処理は、第１の登録処理で登録された第１のショートカットを示す第１のショートカット画像、及び第２の登録処理で登録された第２のショートカットを示す第２のショートカット画像について、上記複数の第１のショートカットの各第１のショートカット画像、及び第２のショートカット画像を、関連性のあるショートカットが分かる態様で表示させる処理である。ショートカット実行処理は、表示処理により表示されている第１のショートカット画像及び第２のショートカット画像のうち何れかが入力部を介して選択された場合に、その選択された画像に対応したショートカットを実行する処理である。
【００１０】
このように構成された機能実行装置では、特定の機能を実行させるための第１のショートカットを登録できるのに加え、第１のショートカットを複数実行させるための第２のショートカットを登録できる。実行させたいショートカットを選択する際は、表示部に表示される各ショートカット画像の中から、実行させたいショートカットのショートカット画像を選択すればよい。そして特に、本発明では、第２のショートカットの第２のショートカット画像は、その第２のショートカットを構成する複数の第１のショートカット毎の各第１のショートカット画像と共に、関連性が分かる態様で表示される。
【００１１】
そのため、第２のショートカットを実行させる場合も、複数の第１のショートカットの何れかを単独で実行させる場合も、関連性の分かる態様で表示された各ショートカット画像の中から実行させたいショートカットのショートカット画像を選ぶことができる。
【００１２】
従って、上記構成の機能実行装置によれば、複数のショートカットを、まとめて或いは何れか１つを単独で実行させる際の、ユーザの使い勝手を向上させることが可能となる。
なお、本発明は、前述した機能実行装置の他、この機能実行装置において用いられている各種の方法（表示部への各種画像の表示方法や、画像が選択された場合の各種処理の実行方法など）、この機能実行装置を構成要素とする各種システム、この機能実行装置の制御部が実行可能な各処理をコンピュータに実行させるためのプログラム、このプログラムが記憶された記憶媒体など、種々の形態で実現することができる。
【図面の簡単な説明】
【００１３】
【図１】実施形態の画像処理システムの概略構成を示すブロック図である。
【図２】ショートカット登録テーブルを示す説明図である。
【図３】結合ショートカット生成時の画面遷移の一部（生成手順全体のうち前半部分）を示す説明図である。
【図４】結合ショートカット生成時の画面遷移の一部（生成手順全体のうち後半部分）であって、特に結合対象決定方法として番号指定が選択された場合の画面遷移を示す説明図である。
【図５】結合ショートカット生成時の画面遷移の一部（生成手順全体のうち後半部分）であって、特に結合対象決定方法として特定の検索条件に基づく検索が選択された場合の画面遷移を示す説明図である。
【図６】結合ショートカットの編集時の画面遷移の一例を示す説明図である。
【図７】結合ショートカットの編集時の画面遷移の他の例を示す説明図である。
【図８】ショートカット制御処理のフローチャートである。
【図９】図８のショートカット制御処理におけるＳ１７０の編集処理の詳細を示すフローチャートである。
【図１０】図９の編集処理におけるＳ２９０の条件指定検索に基づく結合対象決定処理の詳細を示すフローチャートである。
【図１１】図９の編集処理におけるＳ３１５及びＳ３６０の内容編集処理の詳細を示すフローチャートである。
【図１２】ショートカット一覧画面の他の例を示す説明図である。
【発明を実施するための形態】
【００１４】
以下、本発明が適用された実施形態について、図面を用いて説明する。
（１）画像処理システムの概要
本実施形態の画像処理システム１は、図１に示すように、複合機１０と、ＰＣ（Personal Computer の略）３０と、ルータ２００とを備えている。複合機１０とＰＣ３０は、ＬＡＮ（Local Area Networkの略）ケーブル２５を通じて相互にデータ通信可能である。複合機１０及びＰＣ３０を含む、ＬＡＮケーブル２５に接続された各種機器によって、１つのＬＡＮが形成される。
【００１５】
複合機１０及びＰＣ３０は、ＬＡＮケーブル２５を介してルータ２００に接続されており、ルータ２００を介してインターネット３００に接続可能である。そのため、複合機１０及びＰＣ３０は、インターネット３００に接続されている各種機器とデータ通信を行うことができる。
【００１６】
インターネット３００には、少なくとも、Ｅメールサーバ３１０と、ＦＴＰサーバ３２０とが接続されている。そのため、複合機１０及びＰＣ３０は、Ｅメールサーバ３１０及びＦＴＰサーバ３２０とデータ通信可能である。
【００１７】
なお、ＬＡＮケーブル２５を用いたいわゆる有線ＬＡＮ以外の他のネットワークによって複合機１０とＰＣ３０とがデータ通信可能であってもよい。例えば、無線ＬＡＮを介して、複合機１０とＰＣ３０とがデータ通信を行ったり、複合機１０及びＰＣ３０がインターネット３００に接続したりできるようにしてもよい。
【００１８】
（２）複合機１０の構成
複合機１０は、スキャン機能、コピー機能、印刷機能、ファクシミリ機能などの複数の機能を備えている。スキャン機能は、原稿の画像を読み取ってその原稿の画像データを生成する機能である。生成した原稿の画像データは、ＬＡＮ或いはその他の通信回線を介してＰＣ３０などの他の機器へ送信することができる。コピー機能は、スキャン機能により読み取らせた画像を印刷出力する機能である。印刷機能は、ＰＣ３０やその他の機器から入力された画像データ、或いは各種の記憶メディアを介して入力された画像データなどの各種画像データの画像を印刷出力する機能である。
【００１９】
複合機１０は、ＣＰＵ１１、ＲＯＭ１２、ＲＡＭ１３、ＮＶＲＡＭ１４、画像読取部１５、印刷部１６、入力部１７、表示部１８、ネットワークインタフェース部（以下「ネットワークＩ／Ｆ」と称す）１９、メディアインタフェース部（以下「メディアＩ／Ｆ部」と称す）２０、及び回線接続部２１を備えている。
【００２０】
ＣＰＵ１１は、ＲＯＭ１２やＮＶＲＡＭ１４などに記憶されている各種プログラムに従って複合機１０内の各部の制御および各種演算を実行する。ＲＡＭ１３は、ＣＰＵ１１から直接アクセスされるメインメモリとして利用される。ＮＶＲＡＭ１４は、電気的に書き換え可能な不揮発性メモリである。ＮＶＲＡＭ１４には、複合機１０に関する各種設定情報が記憶されている。後述する図２のショートカット登録テーブルも、ＮＶＲＡＭ１４に記憶される。後述する図８のショートカット制御処理のプログラムは、ＲＯＭ１２又はＮＶＲＡＭ１４に記憶されている。
【００２１】
画像読取部１５は、イメージセンサを備え、原稿の画像を読み取って、その画像を表す画像データを生成する。印刷部１６は、画像読取部１５で読み取られた画像データを含む各種画像データを印刷媒体に印刷する機能を有する。入力部１７は、ユーザによる入力操作を受け付ける入力装置である。入力部１７は、タッチパネル２２、操作ボタン（不図示
）などの各種の入力手段を有する。表示部１８は、情報を表示可能な表示デバイスとしてディスプレイ（例えば液晶ディスプレイ）２３を有する。ディスプレイ２３の表示領域には、タッチパネル２２が重畳配置されている。
【００２２】
ネットワークＩ／Ｆ１９は、複合機１０をＬＡＮに接続するための通信インタフェースであり、ＬＡＮケーブル２５が接続される。メディアＩ／Ｆ２０は、各種規格の記憶メディア（例えばＵＳＢ（Universal Serial Busの略）規格のメモリ）に対するデータの読み書きを行うためのインタフェースである。回線接続部２１は、通信回線（本実施形態では電話回線）を通じて外部機器とデータ通信を行うためのインタフェースである。ファクス機能におけるファクシミリデータの送受信は、この回線接続部２１を介して行われる。
【００２３】
（３）ＰＣ３０の構成
ＰＣ３０は、ＣＰＵ３１、ＲＯＭ３２、ＲＡＭ３３、ハードディスクドライブ（以下「ＨＤＤ（Hard Disk Drive の略）」という）３４、入力部３５、表示部３６、及びネットワークＩ／Ｆ３７を備えている。
【００２４】
ＣＰＵ３１は、ＲＯＭ３２やＨＤＤ３４に記憶されている各種プログラムを実行することによってＰＣ３０の各部や外部機器（複合機１０を含む）を制御する。ＲＯＭ３２には、ＣＰＵ３１によって実行される各種プログラムやデータ等が記憶されている。ＲＡＭ３３は、ＣＰＵ３１が各種処理を実行するための主記憶装置として用いられる。ＨＤＤ３４には、ＯＳ（Operating Systemの略）や各種デバイスドライバ、各種アプリケーションソフトなどがインストールされている。入力部３５は、キーボードや各種ポインティングデバイスなどを有する。表示部３６は、液晶ディスプレイや有機ＥＬディスプレイなどの各種の表示デバイスを有する。ネットワークＩ／Ｆ３７は、ＰＣ３０をＬＡＮに接続するための通信インタフェースであり、ＬＡＮケーブル２５が接続される。
【００２５】
（４）複合機１０の機能
複合機１０は、既述の通り、スキャン機能、コピー機能、印刷機能、ファクス機能などの複数の機能を備えている。
【００２６】
スキャン機能については、読み取った画像のデータの処理方法に応じて複数のサブ機能に細分化することができる。具体的には、例えば、スキャンｔｏファイル、スキャンｔｏＦＴＰ、スキャンｔｏメディア、スキャンｔｏＥメールなどの複数のサブ機能に細分化できる。
【００２７】
スキャンｔｏファイルは、スキャンした画像のデータ（以下「スキャンデータ」という）を、複合機１０に接続されている各種端末装置（例えばＰＣ３０）に送信し、その端末装置の指定のフォルダに保存させる機能である。スキャンｔｏＦＴＰは、スキャンデータを、予め指定したＦＴＰサーバ（例えばインターネット３００に接続されたＦＴＰサーバ３２０）に送信して保存させる機能である。スキャンｔｏメディアは、スキャンデータを、メモリカードやＵＳＢメモリなどの各種の記憶メディアに保存させる機能である。このスキャンｔｏメディアの機能により、メディアＩ／Ｆ２０に接続されている各種記憶メディアにスキャンデータを保存させることができる。スキャンｔｏＥメールは、スキャンデータを各種のＥメールサーバ（例えばインターネット３００に接続されたＥメールサーバ３１０）へ送信する機能である。
【００２８】
また、スキャン機能を実行させる際には、上述したサブ機能におけるスキャンデータの送信先を含む、各種の設定項目を設定することができる。スキャン機能における設定項目には、例えば、解像度、カラー設定、ファイル形式、スキャンサイズなどがある。
【００２９】
本実施形態の複合機１０では、解像度として、例えば１００ｄｐｉ、２００ｄｐｉ、３００ｄｐｉ、６００ｄｐｉ、１２００ｄｐｉなどの複数の解像度の中から何れかを設定することができる。また、カラー設定については、カラー又はモノクロの何れかを設定することができる。なお、カラー及びモノクロ以外の他のカラー設定（例えばグレースケール）をできるようにしてもよい。また、スキャンデータのファイル形式については、例えばＪＰＧ、ＢＭＰ、ＴＩＦＦ、ＰＤＦなどの周知のファイル形式の中から何れかを設定することができる。
【００３０】
また、スキャンｔｏファイルにおける送信先の端末装置については、その端末装置のＩＰアドレスやスキャンデータを保存させるフォルダなどを設定することができる。また、スキャンｔｏＦＴＰにおける送信先のＦＴＰサーバについては、そのＦＴＰサーバのＩＰアドレスやスキャンデータを保存させるフォルダなどを設定することができる。また、スキャンｔｏＥメールにおける送信先については、送信先のＥメールアドレスなどを設定することができる。
【００３１】
スキャン機能以外の他の各機能についても、それぞれ、その機能の実行に関する各種設定項目を設定することができる。例えばコピー機能における設定項目としては、記録紙サイズ、拡大率、コピー濃度、解像度（即ちコピー画質）、両面コピーの有無などがある。
【００３２】
（５）ショートカット機能の説明
複合機１０が備える各種機能を利用する際には、通常、ユーザは複数の手順で実行させる必要がある。例えば、スキャンｔｏファイルの機能を利用したい場合、送信先の端末装置を指定する入力操作や、スキャン時の各種設定項目の設定・確認作業等が必要となる。そのため、上述した各種機能を通常の手順で実行させようとすると、非常に手間がかかる。
【００３３】
これに対し、本実施形態の複合機１０は、特定の機能をショートカット登録することによりその機能を通常よりも少ない手順で実行させることが可能な、ショートカット機能を備えている。ユーザは、ショートカット登録したい機能について、その機能における各種設定項目の設定値を予め設定することにより、その機能をショートカット登録することができる。ショートカットを登録すると、以後、その登録した機能については、対応するショートカットキー（詳細は後述）を押下することで、予め設定された設定内容に基づき、ユーザの手間を要することなく、或いは通常よりも少ない手間で、迅速に実行させることができる。
【００３４】
ショートカットを登録すると、登録したショートカット毎に、ショートカット番号が割り当てられて、当該ショートカットの具体的内容（各種設定内容）がショートカット登録テーブルに登録される。図２に、ショートカット登録テーブルの一例を示す。
【００３５】
図２に示すように、ショートカット登録テーブルには、ショートカット毎に、機能種別や各種設定内容が登録（具体的には本実施形態ではＮＶＲＡＭ１４に記憶）される。例えばスキャン機能のショートカットに対しては、スキャン時の各種設定内容として、解像度、カラー設定、ファイル形式、宛先（スキャンデータの保存先又は送信先）などの各種の設定項目の設定値が、ユーザ入力等によって登録される。また例えば、コピー機能のショートカットに対しては、コピー時の各種設定内容としてカラー設定、解像度、拡大率などの各種の設定項目の設定値が、ユーザ入力等によって登録される。図２に示した設定項目は、登録可能な設定項目のごく一部である。また、スキャン機能及びコピー機能以外の他の機能に対してもショートカットを登録することができる。特定の機能を特定の設定内容で実行させるためのショートカットを登録しておくことで、その機能を、登録した設定内容に従って（即ちショートカット登録テーブルに登録されている設定内容に従って）実行
させることができる。
【００３６】
なお、図２に示すように、ショートカット登録テーブルには、ショートカット毎に、結合化の有無も登録される。また、結合化されているショートカットについては、どのショートカットと結合されているのかを示す結合対象も登録される。図２は、ショートカット０１とショートカット０５とが結合されている例を示している。これは即ち、ショートカット０１とショートカット０５とが結合された１つの結合ショートカット（詳細は後述）が登録されていることを意味している。
【００３７】
ショートカットを登録又は実行させるためには、ディスプレイ２３にショートカット一覧画面を表示させる必要がある。複合機１０の電源を投入すると、特定の初期処理が行われた後、待機画面（不図示）が表示される。
【００３８】
待機画面には、スキャン機能、コピー機能、ファクス機能などの複数の機能の中から実行させたい機能を選択させるための、機能毎の選択キーが表示される。また、待機画面には、ショートカット一覧画面を表示させるためのショートカット呼出キーも表示させる。待機画面においてショートカット呼出キーが押下（例えばタッチパネル２２に対するタップ操作）されると、ディスプレイ２３には、ショートカット一覧画面２（図３，図４参照）が表示される。
【００３９】
図３に示すように、ショートカット一覧画面２には、４つのショートカット関連キー４１〜４４と、編集モードキー４５とが表示される。ショートカット関連キーには複数の種類がある。本実施形態では、ショートカット関連キーとして、ショートカットキー、結合ショートカットキー、及び未登録キーの少なくとも３種類がある。
【００４０】
ショートカットキーは、登録されている１つのショートカットが割り当てられているキーであり、ショートカットキーを押下することで、そのショートカットキーに割り当てられているショートカットを実行させることができる。
【００４１】
結合ショートカットキーは、ショートカットが複数登録されている場合に、その複数のショートカットのうち特定の複数のショートカットが割り当てられているキーである。結合ショートカットキーを押下することで、その結合ショートカットキーに割り当てられている複数のショートカットを実行させることができる。
【００４２】
未登録キーは、ショートカットがまだ割り当てられていないキーである。未登録キーを押下することで、その未登録キーに対して新規にショートカットを登録することができる。未登録キーを押下してショートカットを登録すると、その未登録キーに対してショートカットが割り当てられ、その未登録キーはショートカットキーに切り替わる。
【００４３】
図３に例示するショートカット一覧画面２には、ショートカット関連キーとして、３つの登録済みショートカット０１〜０３が割り当てられた３つのショートカットキー４１，４２，４３、及び１つの未登録キー４４が表示されている例を示している。
【００４４】
なお、本実施形態では、ショートカット一覧画面に同時に表示させることができるショートカット関連キーの数は最大４つだが、ショートカット一覧画面に対して特定の一覧切替操作（例えばタッチパネル２２に対する左右方向のフリック操作）を行うことで、画面を左右方向にスクロールさせ、他のショートカット関連キーを表示させることができる。即ち、本実施形態では、実質的に５つ以上（例えば２０個）のショートカット関連キーを有しているが、ディスプレイ２３の面積の関係上、同時に表示されるのは最大４つまでであり、表示されているショートカット関連キー以外の他のショートカット関連キーは隠れ
た状態にされている。そして、その隠れた状態にされている他のショートカット関連キーは、上述した特定の一覧切替操作によって表示させることができる。
【００４５】
図４に例示するショートカット一覧画面２には、結合ショートカットキー４９が表示されている。結合ショートカットが登録されていてその結合ショートカットが割り当てられた結合ショートカットキーがショートカット一覧画面に表示される場合、ショートカット一覧画面には、結合表示領域が設定され、その中に、結合ショートカットキー、及びその結合ショートカットを構成する個々のショートカットのショートカットキーが表示される。
【００４６】
図４のショートカット一覧画面２は、ショートカット０１とショートカット０５が結合された結合ショートカットが登録されており、その結合ショートカットが結合ショートカットキー４９に割り当てられている例を示している。図４に示すように、結合ショートカットキー４９は、結合表示領域４６の中に表示される。結合表示領域４６には、結合ショートカットキー４９だけでなく、その結合ショートカットキー４９に割り当てられている複数のショートカット０１，０５がそれぞれ単独で割り当てられたショートカットキー４７，４８も表示される。結合ショートカットキー４９は、２つのショートカットキー４７，４８の間にそれら両者に挟まれるように配置され、全体として３つのショートカットキー４７，４８，４９が一列に配列された状態となっている。
【００４７】
ショートカット０１，ショートカット０５、及びその２つが結合された結合ショートカットは、互いに関連性を有している。そのため、それら関連性のある３つのショートカットの各ショートカットキー４７，４８，４９は、関連性が分かる態様で表示される。具体的に、本実施形態では、関連性のある３つのショートカットの各ショートカットキー４７，４８，４９は、同じ結合表示領域４６内に表示される。また、各ショートカットキー４７，４８，４９は同じ色である。
【００４８】
また、関連性のある３つのショートカットの各ショートカットキー４７，４８，４９は、他のショートカットのショートカットキー（例えばショートカット０３のショートカットキー４３）とは、形状、大きさ、色のうち少なくとも１つが異なる。図４は、関連性のある３つのショートカットの各ショートカットキー４７，４８，４９と他のショートカットのショートカットキーとの大きさが異なっている例を示している。
【００４９】
なお、関連性のある３つのショートカットの各ショートカットキー４７，４８，４９の大きさ、形状、色を全て同じにすることは必須ではない。例えば、２つのショートカット記４７，４８の大きさと結合ショートカットキー４９の大きさを異ならせるようにしてもよい。後述する図１２（ｂ）のショートカット一覧画面１５０は、結合表示領域１６０内の３つのショートカットキー１６１，１６２，１６３の大きさが結合ショートカットキー１６４よりも小さい例を示している。
【００５０】
つまり、結合ショートカットが登録されている場合、ショートカット一覧画面には、結合ショートカット毎に、結合表示領域が設定されて、その結合表示領域の中に、結合ショートカットの結合ショートカットキーと、その結合ショートカットを構成する個々のショートカットのショートカットキーとが、互いに隣接するように配置される。
【００５１】
結合表示領域４６は、各ショートカットキー４７，４８，４９が表示される領域を除き、全体として、結合表示領域４６以外の他の領域とは異なる特定の色又は模様が付与されている。そのため、ユーザは、結合表示領域４６全体を１つのまとまった領域として視覚的に認識することができる。
【００５２】
結合ショートカットの登録方法について、図３及び図４を用いて説明する。図３に示すように、ショートカット一覧画面２において、編集モードキー４５を押下すると、複合機１０の動作モードがショートカット編集モードに移行し、編集対象選択画面３が表示される。
【００５３】
編集対象選択画面３は、基本的には、編集モードキー４５を押下する前のショートカット一覧画面２と同等のつくりになっており、編集対象のショートカットを選択することができる。なお、編集対象選択画面３には、編集モードＯＦＦキー５０が表示されており、この編集モードＯＦＦキー５０を押下すると、ショートカット編集モードが解除されてショートカット一覧画面２に戻る。
【００５４】
例えばショートカット０１と他のショートカットとを結合させたい場合は、編集対象選択画面３において、ショートカット０１のショートカットキー４１を押下すればよい。ショートカット０１のショートカットキー４１を押下すると、ショートカット０１が編集対象に設定されて、編集方法選択画面４が表示される。なお、図３において「ＳＣ」とは、ショートカットの略称である。図３を含む他の各図面、及び以下の説明においても、ショートカットのことを「ＳＣ」と表記することがある。
【００５５】
編集方法選択画面４には、編集方法を選択させるための複数の選択肢のキーが表示される。具体的に、図３に示すように、少なくとも、編集キー５１、消去キー５２、及び結合キー５３が表示される。編集キー５１を押下すると、編集対象に設定されているショートカット（ここではショートカット０１）の各種設定内容を確認、変更等するための編集画面（不図示）が表示され、編集対象のショートカットの設定内容を変更することができる。消去キー５２を押下すると、編集対象のショートカットを消去（即ち登録解除）することができる。
【００５６】
結合ショートカットを生成するためには、結合キー５３を押下すればよい。結合キー５３を押下すると、結合対象決定方法の選択画面５が表示される。この結合対象決定方法の選択画面５は、編集対象のショートカットであるショートカット０１と結合させたい他のショートカットをどのような方法で決定するのかをユーザに選択させるための画面である。本実施形態では、結合対象のショートカットを決定する方法として、少なくとも、番号指定による決定方法、条件指定検索に基づく決定方法、及び複製による決定方法の３種類の決定方法が用意されている。
【００５７】
番号指定による決定方法とは、編集対象のショートカット以外の他のショートカットを一覧表示させてその中から結合対象のショートカットを選択させ、選択されたショートカットを結合対象に決定する方法である。条件指定検索に基づく決定方法とは、まず、登録されているショートカットの中から条件を指定して絞り込みを行い、その絞り込まれたショートカットの中から結合対象のショートカットを選択させ、選択されたショートカットを結合対象に決定する方法である。複製による決定方法とは、編集対象のショートカットと同じショートカットを別途複製し、その複製したショートカットを結合対象に決定する方法である。
【００５８】
結合対象決定方法の選択画面５には、番号指定による決定方法に対応した番号指定キー５６と、条件指定検索に基づく決定方法に対応した検索要求キー５７と、複製による決定方法に対応した複製キー５８とが表示される。ユーザが何れかのキーを押下することで、結合対象のショートカットを決定する方法が、押下されたキーに対応した決定方法に設定される。
【００５９】
例えば番号指定キー５６を押下すると、選択対象一覧画面６が表示される。選択対象一
覧画面６には、編集対象のショートカット以外の他の各ショートカットを対象として、そのショートカット毎のＳＣ選択肢キー６０が列挙される。なお、編集対象のショートカットの設定内容によっては、そのショートカットと結合することができない他のショートカットが存在している可能性もある。そのような場合は、その結合できない他のショートカットについてはＳＣ選択肢キー６０として表示させないようにしてもよいし、図３に例示するように、ＳＣ選択肢キー６０を表示させるものの、そのＳＣ選択肢キー６０をグレーアウトさせるなどして、選択できないことをユーザに視覚的に認識させると共に、仮にそのＳＣ選択肢キー６０が押下されたとしてもその選択操作を無効とするようにしてもよい。
【００６０】
選択対象一覧画面６において、例えばショートカット０５のＳＣ選択肢キー６０を押下すると、ショートカット０５が結合対象に設定され、ショートカット０１とショートカット０５とが結合ショートカットとして仮登録される。そして、図４に示すように、結合設定内容画面８が表示される。
【００６１】
結合設定内容画面８には、結合ＳＣ設定情報６６と、設定変更キー６７と、登録キー６８とが表示される。結合ＳＣ設定情報６６は、仮登録された結合ショートカットを構成するショートカット０１及びショートカット０５の双方の設定内容を示す情報である。設定値が異なる設定項目については、ショートカット毎に個別に設定値が表示され、設定値が同じ設定項目についてはその同じ設定値が共通の設定値として表示される。
【００６２】
設定変更キー６７を押下すると、仮登録された結合ショートカットを構成する両ショートカット０１，０５の設定内容を確認、変更等させるための内容編集画面が表示される。その内容編集画面は、後述する図６の内容編集画面８０と同様の画面構成及び機能を有する画面である。図６の内容編集画面８０は、ショートカット０１，０２の設定内容を変更するための画面例を示しているが、図５における、例えばショートカット０１，０５の結合設定内容画面８において、設定変更キー６７を押下した場合は、内容編集画面として、ショートカット０１，０５の設定内容を変更するための画面が表示される。ユーザは、その内容編集画面において、両ショートカット０１，０５の設定内容を適宜変更することができる。
【００６３】
登録キー６８を押下すると、移動確認画面９が表示される。移動確認画面９には、キー移動情報７１と、ＯＫキー７２とが表示される。ショートカット０１が編集対象に設定され、そのショートカット０１に対して結合対象のショートカット０５が選択されて、結合ショートカットが生成されると、図４に例示するように、ショートカット一覧画面２において、もともとショートカット０１，０２の各ショートカットキー４１，４２が表示されていた領域に結合表示領域４６が設定される。よってこの場合は、ショートカット０２のショートカットキー４２は、別の位置に移動される。
【００６４】
本実施形態では、結合ショートカットの生成によりショートカットキーの表示位置が移動される場合は、結合対象のショートカットキーがもともと表示されていた位置に移動される。即ち、上記のようにショートカット０１に対してショートカット０５が結合された場合は、ショートカット０５のショートカットキーは、ショートカット０１のショートカットキー４７を含む結合表示領域４６内に移動される。そのため、ショートカット０２のショートカットキー４２は、もともとショートカット０５のショートカットキーが表示されていた場所に移動される。
【００６５】
移動確認画面９は、結合ショートカットの生成に伴って表示位置が移動されるショートカットキーがあること、及びそのショートカットキーがどこに移動されるのかを、ユーザに報知するための画面である。移動確認画面９においてＯＫキー７２を押下すると、ショ
ートカット０１とショートカット０５とが結合ショートカットとして正式に登録され、その登録結果が反映されたショートカット一覧画面２が表示される。このとき、ショートカット登録テーブルにおいて、ショートカット０１，０５が結合されたことを示す情報が登録される。また、ショートカット編集モードは解除される。
【００６６】
ショートカット０１，０５の結合ショートカットが登録されると、ショートカット一覧画面２には、その結合ショートカットに対応した結合表示領域４６が設定される。そして、その結合表示領域４６内に、ショートカット０１，０５それぞれのショートカットキー４７，４８と、ショートカット０１，０５の結合ショートカットの結合ショートカットキー４９とが、一列に配列された状態で表示される。このショートカット一覧画面２において、例えばショートカット０１のショートカットキー４７を押下すると、ショートカット０１が単独で実行される。また、例えば、ショートカット０５のショートカットキー４８を押下すると、ショートカット０５が単独で実行される。また例えば、結合ショートカットキー４９を押下すると、ショートカット０１とショートカット０５とが実行される。
【００６７】
結合ショートカットの実行手順としては、例えば、単に実行対象の複数のショートカット０１，０５を個別連続的に実行させるようにしてもよいし、時分割で交互に実行させるようにしてもよい。
【００６８】
また、ショートカット０１において実行される処理の中で、ショートカット０５において実行される処理と同一又は類似する特定の処理がある場合には、結合ショートカットの実行時には、その特定の処理については、両者共通で１回のみ実行し、その実行結果を両ショートカット０１，０５で用いるようにしてもよい。
【００６９】
例えば、本実施形態では、ショートカット０１とショートカット０５はいずれもスキャン機能のショートカットである。つまり、ショートカット０１とショートカット０５は、いずれも、実行すべき処理として、原稿をスキャンする処理を有する。そこで、ショートカット０１，０５の結合ショートカットの実行時は、原稿のスキャンは１回のみ行うようにしてもよい。その際、各ショートカット０１，０２のカラー設定はいずれもカラーであり、各ショートカット０１，０２の解像度はいずれも３００ｄｐｉであることから、カラー設定はカラーとし、解像度は３００ｄｐｉとして、スキャンを１回実行すればよい。そして、スキャンにより得られたスキャンデータを、結合ショートカットを構成する２つのショートカット０１，０５で共用すればよい。具体的に、第１のショートカットにおいては、スキャンデータを宛先のＰＣへ送信すればよい。第２のショートカットにおいては、同じスキャンデータを宛先のＦＴＰサーバへ送信すればよい。
【００７０】
なお、宛先以外の他の設定項目の中に設定値が異なる設定項目があったとしても、スキャン結果を共用できる場合には、スキャンを１回で済ませることができる。例えば、カラー設定がカラーのショートカットとカラー設定がモノクロのショートカットが結合されている場合、その結合ショートカットについては、カラーでのスキャンを１回実行し、そのスキャン結果を共用できる。即ち、カラー設定がモノクロのショートカットにおいては、カラーのスキャン結果をモノクロに変換すればよい。また例えば、解像度が３００ｄｐｉのショートカットと解像度が１００ｄｐｉのショートカットが結合されている場合、その結合ショートカットについては、３００ｄｐｉでのスキャンを１回実行することで、そのスキャン結果を共用できる。即ち、解像度が１００ｄｐｉのショートカットについては、解像度３００ｄｐｉのスキャン結果に対して解像度変換を行って１００ｄｐｉに落とせばよい。
【００７１】
このように、結合ショートカットを構成する複数のショートカットそれぞれに同一又は類似する処理が含まれていて処理結果を共用できる場合には、その処理についてはショー
トカット毎に逐一行うのではなく、１回のみ（或いは少なくとも結合ショートカットを構成するショートカットの数よりも少ない回数）行い、その処理結果を共用するようにしてもよい。
【００７２】
図３に示す結合対象決定方法の選択画面５において、検索要求キー５７を押下すると、検索パターン選択画面７が表示される。検索パターン選択画面７には、結合対象のショートカットの検索条件をユーザに選択させるための、検索条件毎のキーが表示される。具体的に、本実施形態では、類似設定検索キー６１と、同宛先検索キー６２と、同項目順検索キー６３とが表示される。ユーザが何れかの検索キーを押下することで、押下された検索キーに対応した検索条件が設定される。
【００７３】
例えば類似設定検索キー６１を押下すると、設定内容が類似しているショートカットを検索することが検索条件に設定され、その検索条件に従った検索が行われる。何を基準に設定内容が類似していると判断するかについては適宜決めることができる。例えば、特定の複数の設定項目の設定値が全て同じである場合に類似していると判断するようにしてもよいし、設定値が同じである設定項目の数が一定数以上である場合に類似していると判断するようにしてもよい。
【００７４】
類似設定検索キー６１を押下することにより検索が行われると、図５に示すように、その検索結果を示す類似設定一覧画面７６が表示される。類似設定一覧画面７６は、編集対象のショートカット０１と設定内容が類似しているショートカットの検索結果を示す画面である。
【００７５】
類似設定一覧画面７６には、検索されたショートカット毎のＳＣ選択肢キー７７が列挙される。類似設定一覧画面７６において、例えばショートカット０５のＳＣ選択肢キー７７を押下すると、ショートカット０５が結合対象に設定され、ショートカット０１とショートカット０５とが結合ショートカットとして仮登録され、結合設定内容画面８が表示される。
【００７６】
結合設定内容画面８が表示された後、正式登録されるまでの流れは、図４を用いて説明した、番号指定による決定方法に基づく登録時における結合設定内容画面８の表示後の流れと全く同じである。即ち、登録キー６８を押下すると、移動確認画面９（図５では図示略。図４参照。）が表示される。そして、移動確認画面９においてＯＫキー７２を押下すると、ショートカット０１とショートカット０５の結合ショートカットが登録され、その登録結果が反映されたショートカット一覧画面２が表示される。
【００７７】
検索パターン選択画面７において、例えば同宛先検索キー６２を押下すると、宛先が同じショートカットを検索することが検索条件に設定され、その検索条件に従った検索が行われる。なお、この検索条件は、基本的に、編集対象としてスキャン機能のショートカットが選択されている場合に設定可能である。
【００７８】
本実施形態では、ショートカット０１は、図２に示すように、スキャン機能のショートカットであり、より詳しくは、宛先がＰＣ３０に指定されたスキャンｔｏファイルのショートカットである。そのため、この例において同宛先検索キー６２を押下した場合には、ショートカット０１と同じ宛先が設定されているショートカット、即ち宛先がＰＣ３０に指定されているショートカットが検索される。
【００７９】
同宛先検索キー６２を押下することにより検索が行われると、図５に示すように、その検索結果を示す同一宛先一覧画面７８が表示される。
同一宛先一覧画面７８には、検索されたショートカット毎のＳＣ選択肢キー７９が列挙
される。同一宛先一覧画面７８において、例えばショートカット０６のＳＣ選択肢キー７９を押下すると、ショートカット０６が結合対象に設定され、ショートカット０１とショートカット０６とが結合ショートカットとして仮登録され、結合設定内容画面８が表示される。
【００８０】
結合設定内容画面８が表示された後は、上記同様の手順を経て、ショートカット０１とショートカット０６の結合ショートカットを正式登録させることができる。その結果、ショートカット一覧画面２には、ショートカット０１，０６それぞれのショートカットキー４７，４８と、ショートカット０１，０６の結合ショートカットの結合ショートカットキー４９とが、一列に配列された状態で表示される。
【００８１】
検索パターン選択画面７において、例えば同項目順検索キー６３を押下すると、各ショートカットの設定内容に基づいて、ショートカット毎に、ショートカット０１と同じ設定値の設定項目の数が導出される。そして、同じ設定値の設定項目が多い順に各ショートカットのショートカット選択肢キーが配列された一覧画面（不図示）が表示される。その一覧画面の中から何れかを選択することで、上記２つの検索方法の場合と同様、結合設定内容画面８を表示させ、結合ショートカットの登録に進むことができる。
【００８２】
図３に示す結合対象決定方法の選択画面５において、複製キー５８を押下した場合は、複製による決定方法に従い、まず、編集対象のショートカットと同じショートカットが複製され、両ショートカットが結合ショートカットとして仮登録される。そして、両ショートカットの設定内容を確認、変更等させるための内容編集画面８０（図６等参照。詳細は後述。）が表示される。ユーザは、その内容編集画面８０において、両ショートカットの設定内容を適宜変更することで、結合ショートカットの設定内容を確定することができる。
【００８３】
次に、結合ショートカットの設定内容の編集方法について説明する。例えば、ショートカット０１とショートカット０２の結合ショートカットが登録されているとする。この場合、ショートカット一覧画面には、結合表示領域４６が設定され、その結合表示領域４６内に、結合ショートカットの結合ショートカットキー、及びその結合ショートカットを構成する各ショートカットの各ショートカットキーが表示される。ショートカット０１，０２の結合ショートカットキーが表示されている状態で編集モードキー４５を押下すると、ショートカット０１，０２の結合ショートカットキーを含む（即ち結合表示領域４６を含む）編集対象選択画面３（図３参照）が表示される。
【００８４】
その編集対象選択画面３において、結合表示領域４６内の各ショートカット０１，０２の各ショートカットキー及び結合ショートカットキーのうち何れかを選択すると、編集対象としてショートカット０１，０２が設定され、編集方法選択画面４（図３参照）が表示される。その編集方法選択画面４において編集キー５１を押下すると、図６に例示するように、ショートカット０１，０２の双方の設定内容を確認、変更等するための内容編集画面８０が表示される。
【００８５】
この内容編集画面８０を起点として、ショートカット０１，０２の設定内容を、個別に或いはまとめて一括して変更することができる。内容編集画面８０を起点としてショートカット０１，０２の設定内容を変更することで、ショートカット０１，０２それぞれの設定内容を変更することができ、結果として、ショートカット０１，０２の結合ショートカットの設定内容を変更することができる。つまり、ショートカット０１，０２の結合ショートカットは、あくまでも、個々のショートカット０１，０２の設定内容に従ったショートカットであり、個々のショートカット０１，０２の設定内容に従って実行される。
【００８６】
ショートカット０１，０２の結合ショートカットの設定内容を変更するための内容編集画面８０には、図６に示すように、設定項目毎の複数の設定領域が画面縦方向に配列表示される。図６には、解像度設定領域８１と、カラー設定領域８２とが図示されている。また、内容編集画面８０には、画面横方向に隣接するように３つの領域が設定される。具体的に、画面内中央部に設定される共通設定領域８７と、その共通設定領域８７の左右両側にそれぞれ設定される個別設定領域８６，８８とが設定される。
【００８７】
各個別設定領域８６，８８には、それぞれ、結合ショートカットを構成する個々のショートカットが割り当てられる。具体的に、左側の個別設定領域８６にはショートカット０１が割り当てられ、右側の個別設定領域８８にはショートカット０２が割り当てられる。なお、ショートカット０１，０２のうちどちらが左側に割り当てられてどちらが右側に割り当てられるかについては、ショートカット一覧画面２において表示される、各ショートカット０１，０２の各ショートカットキーの位置に依存する。即ち、ショートカット一覧画面２の結合表示領域４６内において、例えばショートカット０１のショートカットキーが結合ショートカットキーの左側に配置されていてショートカット０２のショートカットキーが結合ショートカットキーの右側に配置されている場合は、内容編集画面８０においても、ショートカット０１が左側の個別設定領域８６に割り当てられ、ショートカット０２が右側の個別設定領域８８に割り当てられる。
【００８８】
設定項目毎の各設定領域には、３つのキーが配置される。即ち、設定領域内における、各個別設定領域８６，８８に属する領域には、それぞれ個別設定キー９１が配置され、共通設定領域に属する領域には、共通設定キー９２が配置される。
【００８９】
各個別設定キー９１及び共通設定キー９２に表示される情報は、設定項目毎にその設定内容によって異なる。本実施形態では、図２に例示するように、ショートカット０１，０２ともに解像度は共通の３００ｄｐｉである。一方、カラー設定に関しては、ショートカット０１はカラーであってショートカット０２はモノクロである。
【００９０】
そのため、内容編集画面８０において、解像度設定領域８１内の各キーには、ショートカット０１，０２の解像度の設定状態に応じた情報が表示される。具体的に、共通設定領域８７内の共通設定キー９２には、解像度が共通の３００ｄｐｉであることを示す「３００ｄｐｉ」という情報が表示される。そして、ショートカット０１に対する個別設定キー９１、及びショートカット０２に対する個別設定キー９１には、「変更」という情報が表示される。解像度の設定内容を変更したい場合は、解像度設定領域８１に表示されている３つのキー９１，９１，９２の何れかを押下することで、解像度変更のための解像度選択画面９５（又は１００）に進むことができる。
【００９１】
カラー設定領域８２内の各キーについても、ショートカット０１，０２のカラー設定の設定状態に応じた情報が表示される。具体的に、ショートカット０１に対する個別設定キー９１には、ショートカット０１のカラー設定がカラーに設定されていることを示す「カラー」という情報が表示され、ショートカット０２に対する個別設定キー９１には、ショートカット０２のカラー設定がモノクロに設定されていることを示す「モノクロ」という情報が表示される。そして、共通設定領域８７内の共通設定キー９２には、「共通化」という情報が表示される。この「共通化」という情報は、この共通設定キー９２を押下することでカラー設定を一括して任意の共通の値に設定することができるということを意味している。カラー設定の設定内容を変更したい場合は、カラー設定領域８２に表示されている３つのキー９１，９１，９２の何れかを押下することで、設定変更のためのカラー設定選択画面１２０（又は１３０）（図７参照）に進むことができる。
【００９２】
図６に示す内容編集画面８０において、例えば、ショートカット０１の解像度を３００
ｄｐｉから１００ｄｐｉに変更したいとする。その場合、解像度設定領域８１における、ショートカット０１が割り当てられている個別設定キー９１を押下すればよい。本実施形態では、解像度設定領域８１におけるショートカット０１の個別設定キー９１を押下した場合の画面遷移として、２つのパターンを提案する。
【００９３】
第１のパターンは、図６に示すように、設定変更対象として指定されたショートカット０１の解像度を選択させるための解像度選択画面９５が表示されるパターンである。第２のパターンは、図６に示すように、設定変更対象として指定されたショートカット０１の解像度だけでなく、結合ショートカットを構成する他のショートカット０２の解像度についても同時に変更することが可能な解像度選択画面１００が表示されるパターンである。
【００９４】
第１のパターンで表示される解像度選択画面９５には、選択可能な解像度毎の解像度選択肢キー９６が列挙される。この解像度選択画面９５において、１００ｄｐｉを示す解像度選択肢キー９６を押下すると、ショートカット０１の解像度が１００ｄｐｉに変更されて、内容編集画面８０に戻る。この結果、内容編集画面８０では、解像度設定領域８１において、ショートカット０１の個別設定キー９１には、ショートカット０１の解像度が１００ｄｐｉに設定されていることを示す「１００ｄｐｉ」という情報が表示され、ショートカット０２の個別設定キー９１には、ショートカット０２の解像度が３００ｄｐｉに設定されていることを示す「３００ｄｐｉ」という情報が表示される。そして、共通設定キー９２には「共通化」という情報が表示される。内容編集画面８０においてＯＫキー８５を押下すると、ショートカット一覧画面に戻る。
【００９５】
一方、第２のパターンで表示される解像度選択画面１００には、選択可能な解像度毎の複数の選択領域が画面縦方向に配列表示される。図６には、１００ｄｐｉ選択領域１０１と、２００ｄｐｉ選択領域１０２と、３００ｄｐｉ選択領域１０３とが図示されている。また、この解像度選択画面１００には、内容編集画面８０と同様、画面横方向に隣接するように３つの領域（共通設定領域１０７及び２つの個別設定領域１０６，１０８）が設定される。これら３つの配列状態は、内容編集画面８０と全く同じである。
【００９６】
各個別設定領域１０６，１０８には、内容編集画面８０と同様、それぞれ、結合ショートカットを構成する個々のショートカットが割り当てられる。具体的に、左側の個別設定領域１０６にはショートカット０１が割り当てられ、右側の個別設定領域１０８にはショートカット０２が割り当てられる。
【００９７】
選択可能な解像度毎の各選択領域１０１，１０２，１０３には、３つのキーが配置される。即ち、各選択領域内における、各個別設定領域１０６，１０８に属する領域には、それぞれ個別選択キー１１１が配置され、共通設定領域１０７に属する領域には、共通選択キー１１２が配置される。
【００９８】
個別選択キー１１１には、一律に、「個別」という情報が表示される。これは、解像度を個別に設定したい場合にはこの個別選択キー１１１を押下すればよい、ということを意味している。例えばショートカット０１の解像度を２００ｄｐｉに変更したい場合は、２００ｄｐｉ選択領域１０２内における、ショートカット０１の個別選択キー１１１を押下すればよい。
【００９９】
共通選択キー１１２には、一律に、「共通」という情報が表示される。これは、解像度を一括して共通の値に設定したい場合にはこの共通選択キー１１２を押下すればよい、ということを意味している。例えば解像度を２００ｄｐｉに共通設定したい場合は、２００ｄｐｉ選択領域１０２内における共通選択キー１１２を押下すればよい。
【０１００】
そして、各選択キー１１１，１１２のうち、現在設定されている解像度に対応した選択キーが、強調表示される。本実施形態では、ショートカット０１，０２共に解像度は共通の３００ｄｐｉに設定されている。そのため、解像度選択画面１００においては、図６に示すように、３００ｄｐｉ選択領域１０３内の共通選択キー１１２が、強調表示される。つまり、この解像度選択画面１００を見ることで、各ショートカット０１，０２の解像度がそれぞれどの値に設定されているのかを、強調表示されている選択キーに基づいて認識することができる。
【０１０１】
そして、ショートカット０１の解像度を１００ｄｐｉに変更したい場合は、１００ｄｐｉ選択領域１０１内における、ショートカット０１の個別選択キー１１１を押下すればよい。この個別選択キー１１１を押下することで、ショートカット０１の解像度が１００ｄｐｉに仮設定され、強調表示の内容が切り替わる。即ち、図６に示すように、ショートカット０１については、１００ｄｐｉ選択領域１０１内におけるショートカット０１の個別選択キー１１１が強調表示される。そして、３００ｄｐｉ選択領域１０３においては、共通選択キー１１２の強調表示が解除され、ショートカット０２の個別選択キー１１１が強調表示される。
【０１０２】
よって、ユーザは、仮設定されている解像度の設定状態を認識することができる。そして、その設定内容でよければＯＫキー１０５を押下すればよい。ＯＫキー１０５を押下すると、解像度の設定変更の内容が反映された内容編集画面８０が表示される。
【０１０３】
別の設定変更例について説明する。図７に示す内容編集画面８０（図６と同じ）において、例えば、カラー設定を、ショートカット０１，０２共に同じ「カラー」に共通設定したいとする。その場合、カラー設定領域８２における共通設定キー９２を押下すればよい。カラー設定の共通化設定においても、２つのパターンを提案する。
【０１０４】
第１のパターンは、図７に示すように、カラー及びモノクロのうちどちらに共通設定させるのかを選択させるためのカラー設定選択画面１２０が表示されるパターンである。第２のパターンは、上述した解像度設定変更時における第２のパターンと基本的に同じパターンであり、図７に示すように、一括して共通設定できるだけでなく各ショートカット０１，０２のカラー設定を個別に確認、変更することも可能なカラー設定選択画面１３０が表示されるパターンである。
【０１０５】
第１のパターンで表示されるカラー設定選択画面１２０には、選択可能なカラー設定の種類毎のカラー設定選択肢キー１２１が列挙される。このカラー設定選択画面１２０において、カラーを示すカラー設定選択肢キー１２１を押下すると、ショートカット０１，０２の双方のカラー設定が一括してカラーに設定され、内容編集画面８０に戻る。この結果、内容編集画面８０では、カラー設定領域８２において、共通設定キー９２には、カラー設定が共通の「カラー」に設定されていることを示す情報が表示される。
【０１０６】
一方、第２のパターンで表示されるカラー設定選択画面１３０の画面構成は、基本的に、解像度設定時における第２のパターンとして例示した解像度選択画面１００と同じ画面構成である。カラー設定については、本実施形態では、カラー及びモノクロの２者択一が可能である。そのため、カラー設定選択画面１３０においては、図７に示すように、カラー選択領域１３１と、モノクロ選択領域１３２とが図示されている。
【０１０７】
そして、各選択領域１３１，１３２には、図６の解像度選択画面１００と全く同様、３つのキー（共通選択キー１４２及び２つの個別選択キー１４１）が配置される。そして、各選択キー１４１，１４２のうち、現在設定されているカラー設定に対応した選択キーが、強調表示される。本実施形態では、ショートカット０１はカラーに設定され、ショート
カット０２はモノクロに設定されている。そのため、ショートカット０１については、カラー選択領域１３１内の個別選択キー１４１が強調表示され、ショートカット０２については、モノクロ選択領域１３２内の個別選択キー１４１が強調表示されている。
【０１０８】
このカラー設定選択画面１３０を見ることで、各ショートカット０１，０２のカラー設定がそれぞれどのように設定されているのかを、強調表示されている選択キーに基づいて認識することができる。
【０１０９】
そして、ショートカット０１，０２のカラー設定を一括してカラーに共通設定したい場合は、カラー選択領域１３１内における共通選択キー１４２を押下すればよい。この共通選択キー１４２を押下することで、ショートカット０１，０２のカラー設定が一括してカラーに仮設定され、強調表示の内容が切り替わる。即ち、図７に示すように、設定変更前の強調表示は解除され、カラー選択領域１３１内における共通選択キー１４２が強調表示される。
【０１１０】
よって、ユーザは、仮設定されているカラー設定の設定状態を認識することができる。そして、その設定内容でよければＯＫキー１３３を押下すればよい。ＯＫキー１３３を押下すると、カラー設定の設定変更の内容が反映された内容編集画面８０が表示される。
【０１１１】
なお、第２のパターンの各選択画面（図６の解像度選択画面１００、図７のカラー設定選択画面１３０など）においては、共通化できない設定項目がある場合には、選択できないキーをグレーアウトするなどして、選択できないことをユーザに報知するようにしてもよい。
【０１１２】
例えば、ショートカット０２のファイル形式がＴＩＦＦであると仮定する。この場合、ＴＩＦＦはカラー化ができないため、カラー設定選択画面１３０において、カラー選択領域１３１内の、共通選択キー１４２及びショートカット０２の個別選択キー１４１をグレーアウトして、ユーザに対し、ショートカット０２についてはカラーに設定できないことを認識させるようにしてもよい。
【０１１３】
（６）ショートカット制御処理
上述したショートカットに関する各種機能を実現するために複合機１０のＣＰＵ１１が実行するショートカット制御処理について、図８を用いて説明する。複合機１０のＣＰＵ１１は、ショートカット一覧画面を表示させるための特定の操作がなされると、図８に示すショートカット制御処理を実行する。
【０１１４】
複合機１０のＣＰＵ１１は、図８のショートカット制御処理を開始すると、Ｓ１１０で、ショートカット一覧画面２を表示部１８に表示させる。Ｓ１２０では、ショートカットキーが押下されたか否か判断する。ショートカットキーが押下された場合は（Ｓ１２０：ＹＥＳ）、Ｓ１３０で、押下されたショートカットキーに割り当てられているショートカットを実行する。
【０１１５】
ショートカットキーが押下されていない場合は（Ｓ１２０：ＮＯ）、Ｓ１４０で、未登録キーが押下されたか否か判断する。未登録キーが押下された場合は（Ｓ１４０：ＹＥＳ）、Ｓ１５０で、ショートカットの新規登録のための処理を実行して、Ｓ１１０に戻る。未登録キーが押下されていない場合は（Ｓ１４０：ＮＯ）、Ｓ１６０で、編集モードキー４５が押下されたか否か判断する。編集モードキー４５が押下されていない場合は（Ｓ１６０：ＮＯ）、Ｓ１１０に戻る。編集モードキー４５が押下された場合は（Ｓ１６０：ＹＥＳ）、Ｓ１７０で、編集処理を実行する。
【０１１６】
Ｓ１７０の編集処理の詳細は、図９に示す通りである。図９に示すように、編集処理に進むと、Ｓ２１０で、編集対象選択画面３を表示させる。Ｓ２２０では、編集対象選択画面３に対する、編集対象のショートカットの選択操作を受け付ける。編集対象選択画面３において何れかのショートカットキーが押下されたら、そのショートカットキーに割り当てられているショートカットを編集対象に設定して、Ｓ２３０に進む。
【０１１７】
Ｓ２３０では、編集方法選択画面４を表示させる。Ｓ２４０では、編集方法選択画面４に対する、編集方法の選択操作を受け付ける。Ｓ２５０では、編集方法選択画面４において結合キー５３が押下されたか否か判断する。結合キー５３が押下されていない場合は（Ｓ２５０：ＮＯ）、Ｓ３５０で、編集キー５１が押下されたか否か判断する。編集キー５１が押下されていない場合は（Ｓ３５０：ＮＯ）、操作内容に応じた他の処理を実行して、当該編集処理を終了する。編集キー５１が押下された場合は（Ｓ３５０：ＹＥＳ）、Ｓ３６０で、内容編集処理を実行する。Ｓ３６０の内容編集処理の詳細は後述する。
【０１１８】
Ｓ２５０で、編集方法選択画面４において結合キー５３が押下された場合は（Ｓ２５０：ＹＥＳ）、Ｓ２６０に進む。Ｓ２６０では、結合対象決定方法の選択画面５を表示させる。Ｓ２７０では、その結合対象決定方法の選択画面５に対する、結合対象の決定方法の選択操作を受け付ける。Ｓ２８０では、結合対象決定方法の選択画面５においてどの方法が選択されたか判断する。
【０１１９】
結合対象の決定方法として、番号指定による決定方法が選択された場合（即ち番号指定キー５６が押下された場合）は、Ｓ３００に進む。Ｓ３００では、結合可能なショートカットを一覧表示させる。具体的には、選択対象一覧画面６を表示させる。Ｓ３２０では、選択対象一覧画面６に対する。結合対象ショートカットの選択操作を受け付ける。選択対象一覧画面６において何れかのショートカットが結合対象として選択された場合は、Ｓ３３０で、結合設定内容画面８を表示させる。即ち、Ｓ２２０で選択された編集対象のショートカットとＳ３２０で選択された結合対象のショートカットとの結合ショートカットを仮登録して、その結合ショートカットに関する結合ショートカット設定情報６６を表示させる。
【０１２０】
そして、結合設定内容画面８において登録キー６８が押下されたら、Ｓ３４０で、所定の登録処理（詳細は既述の通り）を行って、結合ショートカットを正式に登録する。結合ショートカットの正式登録後は、Ｓ１１０（図８）に戻る。
【０１２１】
Ｓ２８０で、結合対象の決定方法として複製による決定方法が選択された場合（即ち複製キー５８が押下された場合）は、Ｓ３１０に進む。Ｓ３１０では、編集対象のショートカットと同じショートカットを複製して、その複製したショートカットを結合対象に設定する。そして、Ｓ３１５で、同じ２つのショートカットを対象として、内容編集処理を実行する。内容編集処理は後で図１１を用いて説明するが、この内容編集処理により、２つのショートカットをそれぞれ個別に設定変更し直すことができる。そして、内容編集処理による編集が完了すると、Ｓ３４０で、その編集後の内容に基づいて、結合ショートカットを正式に登録する。
【０１２２】
Ｓ２８０で、結合対象の決定方法として、条件指定検索に基づく決定方法が選択された場合（即ち検索要求キー５７が押下された場合）は、Ｓ２９０に進む。Ｓ２９０では、条件指定検索に基づく結合対象決定処理を実行する。Ｓ２９０の処理の詳細は、図１０に示す通りである。
【０１２３】
Ｓ２９０の条件指定検索に基づく結合対象決定処理に進むと、図１０に示すように、Ｓ４１０で、検索パターン選択画面７を表示させる。Ｓ４２０では、検索パターン選択画面
７に対する、検索条件の選択操作を受け付ける。
【０１２４】
Ｓ４３０では、検索パターン選択画面７においてどの検索条件が選択されたか判断する。検索条件として宛先が一致していることが選択された場合（即ち同宛先検索キー６２が押下された場合）は、Ｓ４４０で、宛先が一致するショートカットを一覧表示させる。具体的には、同一宛先一覧画面７８を表示させる。
【０１２５】
検索条件として設定内容が類似していることが選択された場合（即ち類似設定検索キー６１が押下された場合）は、Ｓ４５０で、設定内容が類似するショートカットを一覧表示させる。具体的には、類似設定一覧画面７６を表示させる。
【０１２６】
検索条件として同一項目が多い順が選択された場合（即ち同項目順検索キー６３が押下された場合）は、Ｓ４４０で、編集対象のショートカット以外の他のショートカットを、編集対象のショートカットと同じ設定値の設定項目が多い順に、一覧表示させる。
【０１２７】
Ｓ４４０，Ｓ４５０，及びＳ４６０のうち何れかによって、結合ショートカットとして選択可能なショートカットを一覧表示させた後は、Ｓ３２０（図９）以降に進む。即ち、一覧表示されているショートカットの中から結合対象のショートカットを選択させ、その選択結果に基づいて、結合ショートカットの登録のための処理を行う。
【０１２８】
次に、Ｓ３１５及びＳ３６０の内容編集処理の詳細について、図１１を用いて説明する。Ｓ３１５又はＳ３６０の内容編集処理に進むと、図１１に示すように、Ｓ５１０で、編集対象のショートカットが結合ショートカットであるか否か、結合ショートカットキーを含む結合表示領域４６が設定された編集対象選択画面３においてその結合表示領域４６内の何れかのキーが押下されたか否か判断する。
【０１２９】
編集対象のショートカットが結合ショートカットではない場合は（Ｓ５１０：ＮＯ）、Ｓ５２０で、編集対象のショートカットに応じた通常の編集処理を実行する。編集対象のショートカットが結合ショートカットである場合、即ち結合表示領域４６内の何れかのキーが押下された場合は（Ｓ５１０：ＹＥＳ）、Ｓ５３０で、内容編集画面８０を表示させる。
【０１３０】
Ｓ５４０では、内容編集画面８０において、何れかの設定項目において何れかの設定キー（個別設定キー９１及び共通設定キー９２の何れか）が選択されたか否か判断する。何れの設定項目も選択されていない場合は（Ｓ５４０：ＮＯ）、Ｓ５５０で、内容編集が完了したか否か、即ちＯＫキー８５が押下されたか否か判断する。内容編集が完了した場合は（Ｓ５５０：ＹＥＳ）、この内容編集処理を終了する。内容編集が完了していない場合は（Ｓ５５０：ＮＯ）、Ｓ５４０に戻る。
【０１３１】
Ｓ５４０で、内容編集画面８０において何れかの設定項目における何れかの設定キーが選択された場合は（Ｓ５４０：ＹＥＳ）、Ｓ５６０に進む。なお、Ｓ５６０移行の処理は、上述した第１のパターン及び第２のパターンのうち、一例として、第２のパターンに対応した処理を示している。よって、Ｓ５６０移行の処理については、第２のパターンを前提として説明を続ける。
【０１３２】
Ｓ５６０では、選択された設定項目に対応した設定内容選択画面を表示させる。例えば解像度設定領域８１内の何れかの設定キーが押下された場合は、図６に例示した解像度選択画面１００を表示させる。また例えば、カラー設定領域８２内の何れかの設定キーが押下された場合は、図７に例示したカラー設定選択画面１３０を表示させる。
【０１３３】
Ｓ５７０では、現在の設定内容に応じて、各ショートカットそれぞれ、現在の設定値に対応した選択キーを強調表示させる。同じ設定値が共通設定されている場合は、その設定値に対応した共通選択キーを強調表示させる。
【０１３４】
Ｓ５８０では、設定内容選択画面において、設定変更入力がされたか否か、即ちいずれかの選択キーが押下されたか否か判断する。設定変更入力がされていない場合は（Ｓ５８０：ＮＯ）、Ｓ６１０で、選択操作が完了したか否か判断する。具体的には、ＯＫキーが押下されたか否か判断する。選択操作が完了していない場合はＳ５８０に戻り、選択操作が完了した場合はＳ５３０に戻る。
【０１３５】
Ｓ５８０で、設定変更入力がされた場合、即ち何れかの選択キーが押下された場合は（Ｓ５８０：ＹＥＳ）、Ｓ５９０で、設定内容を変更する処理を行う。具体的に、押下された選択キーに応じて、図６及び図７を用いて説明したように、設定値の変更を行う。そして、Ｓ６００で、その変更後の設定内容に従って、選択キーの強調表示を行う。Ｓ６００の処理後は、Ｓ５８０に戻る。
【０１３６】
（７）実施形態の効果
以上説明したように、本実施形態の複合機１０では、特定の機能を実行させるためのショートカットを登録できるのに加え、登録されている複数のショートカットを実行させるための結合ショートカットを登録できる。
【０１３７】
結合ショートカットとして実行させたい複数のショートカットを選択する際は、まず編集対象選択画面３において１つのショートカットを選択し、その後、選択対象一覧画面６、類似設定一覧画面７６、同一宛先一覧画面７８などの各種の一覧画面の中から結合させたいショートカットを選択することができる。
【０１３８】
そして特に、本実施形態では、結合ショートカットが割り当てられる結合ショートカットキーは、その結合ショートカットを構成する複数のショートカットが個別に割り当てられた各ショートカットキーと共に、隣接するように表示される。具体的には、図４に例示したように、ショートカット一覧画面２内に結合表示領域４６が設定され、その結合表示領域４６の中に、結合ショートカットキー及び個別の各ショートカットキーがまとめて配置される。
【０１３９】
そのため、結合ショートカットとして登録されている複数のショートカットについて、それらをまとめて実行させたい場合は、結合表示領域４６内の結合ショートカットキーを選択すればよい。一方、何れか１つのみ単独で実行させたい場合は、同じ結合表示領域４６内に表示されている、その１つのショートカットが割り当てられたショートカットキーを選択すればよい。
【０１４０】
つまり、複数のショートカットを実行させる場合も、何れか１つのショートカットのみ実行させる場合も、同じ結合表示領域４６内に表示された複数のキーの中から、実行させたいショートカットに対応したキーを選べばよい。
【０１４１】
従って、本実施形態の複合機１０によれば、複数のショートカットを、まとめて或いは何れか１つを単独で実行させる際の、ユーザの使い勝手を向上させることが可能となる。
また、本実施形態では、あるショートカットと結合させたい結合対象のショートカットを、様々な方法で選択することができる。
【０１４２】
例えば、選択可能なショートカットを単に選択対象一覧画面６に表示させて、その中から選択することができる。
また例えば、あるショートカットと同じショートカットを複製し、その複製したショートカットと元のショートカットとを仮結合して、両者の設定値を適宜変更することによっても、結合ショートカットを生成できる。
【０１４３】
また例えば、選択可能なショートカットを各種の検索条件に基づく検索処理によって絞り込み、その絞り込んだショートカットのみを一覧表示させて、その中から選択することもできる。その場合の検索条件についても、様々な検索条件が用意されていてユーザはその中から検索条件を指定することができる。具体的な検索条件としては、設定内容が類似であることや、宛先が同じであることなどを指定できる。
【０１４４】
また、同じ設定値の設定項目が多い順にショートカットを一覧表示させ、その中から結合対象のショートカットを選択することもできる。
そのため、ユーザは、結合させたいショートカットを、状況や使用目的などに応じて容易且つ効率良く実行させることができる。
【０１４５】
また、本実施形態では、結合ショートカットを構成する複数のショートカットの設定内容を変更したい場合、その複数のショートカットの設定内容を同時に表示させた状態で設定変更を行うことができる。具体的には、まず内容編集画面８０を表示させることで、結合ショートカットを構成する各ショートカットの現在の設定内容を確認することができる。そして、その内容編集画面８０において、変更したい設定項目を選択すると、その設定項目の設定値を変更することが可能な選択画面（例えば図６の解像度選択画面９５，１００や図７のカラー設定選択画面１２０，１３０）が表示される。そして、その選択画面において、設定値を変更することができる。
【０１４６】
特に、選択画面として、第２のパターンの選択画面が表示される場合は、結合ショートカットを構成する各ショートカットにおける該当設定項目の設定値を俯瞰的に確認しながら、ショートカット毎に個別に設定変更することができる。特に、同じ共通の設定値を設定したい場合は、設定したい設定値の共通化選択キーを押下することで、一括してその設定項目の設定値を共通設定できる。
【０１４７】
なお、本実施形態において、複合機１０は本発明の機能実行装置及び情報処理装置の一例に相当する。複合機１０のＲＯＭ１２又はＮＶＲＡＭ１４は本発明の記憶媒体の一例に相当する。複合機１０のＣＰＵ１１は本発明の制御部の一例に相当する。メディアＩ／Ｆ２０に挿入される各種記憶メディアは本発明の記憶部の一例に相当する。
【０１４８】
また、Ｓ１５０の処理は本発明の第１の登録処理の一例に相当する。Ｓ１７０の処理は本発明の複数選択処理の一例に相当する。そのうち特に、Ｓ２１０の処理は本発明の第１の表示処理の一例に相当し、Ｓ２２０の処理は本発明の第１の設定処理の一例に相当し、Ｓ４４０，Ｓ４５０，Ｓ４６０の処理は本発明の抽出処理及び第２の表示処理の一例に相当し、Ｓ３２０の処理は本発明の特定選択処理及び第２の設定処理の一例に相当する。Ｓ３４０の処理は本発明の第２の登録処理の一例に相当する。Ｓ１１０の処理は本発明の表示処理の一例に相当する。Ｓ１３０の処理は本発明のショートカット実行処理の一例に相当する。Ｓ３５０の処理は本発明の変更要求処理の一例に相当する。Ｓ５３０の処理は本発明の設定情報表示処理、及びこの設定情報表示処理に含まれるキー表示処理の一例に相当する。Ｓ５６０の処理は本発明の変更用表示処理及び共通用表示処理の一例に相当する。Ｓ５９０の処理は本発明の変更処理、個別確定処理、及び共通確定処理の一例に相当する。
【０１４９】
［他の実施形態］
以上、本発明の実施形態について説明したが、本発明は上記実施形態に限定されること
なく、種々の形態を採り得る。
【０１５０】
（１）ショートカット一覧画面２に同時に表示させるショートカット関連キーの数は、４つに限定されず、５つ以上であってもよいし、３つ以上であってもよい。図１２（ａ）に、同時に６個のショートカット関連キーが表示されるショートカット一覧画面１５０を示す。図１２（ａ）は、ショートカット関連キーとして、４つの登録済みショートカット０１〜０４を実行させるための４つのショートカットキー１５１〜１５４、及び２つの未登録キー１５５，１５６が表示されている例を示している。このショートカット一覧画面１５０においても、編集モードキー１５７を押下することで、ショートカット編集モードに移行させ、結合ショートカットの生成を含む、ショートカットの各種編集を行うことができる。
【０１５１】
（２）また、結合可能なショートカットの数は、２つに限定されない。３つ以上のショートカットを結合させて結合ショートカットを生成できるようにしてもよい。図１２（ｂ）に、３つのショートカットを結合させて結合ショートカットを生成した場合のショートカット一覧画面１５０の例を示す。図１２（ａ）のショートカット一覧画面１５０から編集モードに移行させ、３つのショートカット０１，０２，０３を結合させて結合ショートカットを生成すると、図１２（ｂ）に示すようなショートカット一覧画面１５０が表示される。図１２（ｂ）のショートカット一覧画面１５０には、結合表示領域１６０が設定されると共に、その結合表示領域１６０の中に、ショートカット０１，０２，０３それぞれのショートカットキー１６１，１６２，１６３と、ショートカット０１，０２，０３が結合されてなる結合ショートカットの結合ショートカットキー１６４とが、一列に配列されている。この図１２（ｂ）のショートカット一覧画面１５０において、ユーザは、ショートカット０１，０２，０３のうち何れかを単独で実行させたり、結合ショートカットキー１６４を用いて３つまとめて実行させたりすることができる。
【０１５２】
（３）結合対象のショートカットの決定方法として、上述した３つの決定方法（番号指定による決定方法、条件指定検索に基づく決定方法、及び複製による決定方法）はあくまでも一例。他の方法で決定できるようにしてもよい。例えば、単に編集対象選択画面３と同等の内容の画面を表示させて、その中から選択できるようにしてもよい。
【０１５３】
（４）結合表示領域の大きさや形状は適宜決めることができる。また、結合表示領域内における結合ショートカットキー及び複数のショートカットキーの位置関係や、個々の外形（キーのデザイン）などについても、適宜決めることができる。
【０１５４】
（５）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【０１５５】
１…画像処理システム、２，１５０…ショートカット一覧画面、３…編集対象選択画面、４…編集方法選択画面、５…結合対象決定方法の選択画面、６…選択対象一覧画面、７…検索パターン選択画面、８…結合設定内容画面、９…移動確認画面、１０…複合機、１１，３１…ＣＰＵ、１２，３２…ＲＯＭ、１３，３３…ＲＡＭ、１４…ＮＶＲＡＭ、１５…画像読取部、１６…印刷部、１７，３５…入力部、１８，３６…表示部、１９，３７…ネットワークＩ／Ｆ、２０…メディアＩ／Ｆ、２１…回線接続部、２２…タッチパネル、
２３…ディスプレイ、２５…ケーブル、２５…ＬＡＮケーブル、３０…ＰＣ、３４…ＨＤＤ、４１…ショートカット関連キー、４１〜４３，４７，４８，１５１〜１５４，１６１〜１６３…ショートカットキー、４４，１５５，１５６…未登録キー、４５，１５７…編集モードキー、４６，１６０…結合表示領域、４９、１６４…結合ショートカットキー、５０…編集モードＯＦＦキー、５１…編集キー、５２…消去キー、５３…結合キー、５６…番号指定キー、５７…検索要求キー、５８…複製キー、６０，７７，７９…ショートカット選択肢キー、６１…類似設定検索キー、６２…同宛先検索キー、６３…同項目順検索キー、６６…結合ショートカット設定情報、６７…設定変更キー、６８…登録キー、７１…キー移動情報、７２，８５，１０５，１３３…ＯＫキー、７６…類似設定一覧画面、７８…同一宛先一覧画面、８０…内容編集画面、８１…解像度設定領域、８２…カラー設定領域、８６，８８，１０６，１０８…個別設定領域、８７，１０７…共通設定領域、９１…個別設定キー、９２…共通設定キー、９５，１００…解像度選択画面、９６…解像度選択肢キー、１０１〜１０３，１３１，１３２…選択領域、１１１，１４１…個別選択キー、１１２，１４２…共通選択キー、１２０，１３０…カラー設定選択画面、１２１…カラー設定選択肢キー、２００…ルータ、３００…インターネット、３１０…メールサーバ、３２０…ＦＴＰサーバ。
【図１】
0006511920.tif 000002
【図２】
0006511920.tif 000003
【図３】
0006511920.tif 000004
【図４】
0006511920.tif 000005
【図５】
0006511920.tif 000006
【図６】
0006511920.tif 000007
【図７】
0006511920.tif 000008
【図８】
0006511920.tif 000009
【図９】
0006511920.tif 000010
【図１０】
0006511920.tif 000011
【図１１】
0006511920.tif 000012
【図１２】
0006511920.tif 000013